(57)【要約】【課題】撮影時にレンズの光軸方向の移動範囲や光学保持精度を確保しつつ、沈胴時のレンズ鏡筒の全長を短縮して更なる小型化を実現する仕組みを提供する。【解決手段】レンズ鏡筒は、レンズ５０を保持し、ガイド穴４１ａ、及びガイド穴４１ａより光軸方向の像面側に配置されるガイド穴４１ｂを有する保持枠４０と、保持枠４０を光軸方向に進退移動させる駆動部７０と、ガイド穴４１ａを光軸方向に支持案内するガイドバー６０ａを保持し、光軸方向に進退移動が可能な直進筒３０と、ガイド穴４１ｂを光軸方向に支持案内するガイドバー６０ｂを保持する固定筒１０と、固定筒１０に対して回転可能に設けられ、回転により直進筒３０を光軸方向に進退移動させるカム筒２０と、を備える。固定筒１０は、直進筒３０の内周側に配置され、カム筒２０は、直進筒３０の外周側に配置される。【選択図】図１
2015203732.tif 000002
【特許請求の範囲】
【請求項１】
レンズを保持し、第１の被案内部、及び前記第１の被案内部より光軸方向の像面側に配置される第２の被案内部を有する保持枠と、
前記保持枠を光軸方向に進退移動させる駆動部と、
前記第１の被案内部を光軸方向に支持案内する第１の案内軸を保持し、光軸方向に進退移動が可能な直進筒と、
前記第２の被案内部を光軸方向に支持案内する第２の案内軸を保持する保持筒と、
前記保持筒に対して回転可能に設けられ、回転により前記直進筒を光軸方向に進退移動させるカム筒と、を備えることを特徴とするレンズ鏡筒。
【請求項２】
前記保持筒は、前記直進筒の内周側に配置され、前記カム筒は、前記直進筒の外周側に配置されることを特徴とする請求項１に記載のレンズ鏡筒。
【請求項３】
前記駆動部は、前記直進筒の内周側に配置されることを特徴とする請求項１又は２に記載のレンズ鏡筒。
【請求項４】
前記カム筒は、前記保持筒により光軸方向の移動が規制されることを特徴とする請求項１乃至３のいずれか一項に記載のレンズ鏡筒。
【請求項５】
前記第１の案内軸、及び前記第２の案内軸は、沈胴状態で光軸方向の被写体側の端部が略一致するように配置されることを特徴とする請求項１乃至４のいずれか一項に記載のレンズ鏡筒。
【請求項６】
前記レンズは、ズームレンズ、又はフォーカスレンズであることを特徴とする請求項１乃至５のいずれか一項に記載のレンズ鏡筒。
【請求項７】
請求項１乃至６のいずれか一項のレンズ鏡筒を備えることを特徴とする撮像装置。
【発明の詳細な説明】
【技術分野】
【０００１】
本発明は、例えばデジタルカメラやデジタルビデオカメラ等の撮像装置に搭載され、ズームンズやフォーカスレンズ等を光軸方向へ移動させる機構を有するレンズ鏡筒、及びレンズ鏡筒を備える撮像装置に関する。
【背景技術】
【０００２】
デジタルビデオカメラ等の撮像装置では、ズーム時にレンズの倒れを極力小さくするために、ガイドバーを用いてレンズを保持する保持枠を光軸方向に移動可能に支持案内する構造が知られている。光軸方向に長いガイドバーを用いた構造においては、レンズの保持枠をガイドバーの長手方向に離間した２か所で支持案内することで、レンズの倒れを規制して像ぶれ等を防止することができる。しかし、ガイドバーが光軸方向に長いと、レンズ鏡筒の小型化を阻害する原因となる。
【０００３】
そこで、ビデオカメラ用の沈胴型のレンズ鏡筒において、複数のガイド軸およびリニアモータを用いた可動部材の駆動機構が提案されている（特許文献１）。この提案では、ズームレンズの保持枠を光軸方向に支持案内するガイド軸の光軸方向の長さは、沈胴時のレンズ鏡筒の全長以下に制限されている。
【先行技術文献】
【特許文献】
【０００４】
【特許文献１】特開平８−９４９０５号公報
【発明の概要】
【発明が解決しようとする課題】
【０００５】
上記特許文献１では、ズームレンズを保持する保持枠を光軸方向に支持案内するガイド軸の長さは、沈胴時の全長以下に制限されている。そのため、沈胴構造を有しないレンズ鏡筒と比較して、ズーム時のレンズの光軸方向の移動範囲や光学保持精度が制限されることになる。
【０００６】
そこで、本発明は、撮影時にレンズの光軸方向の移動範囲や光学保持精度を確保しつつ、沈胴時のレンズ鏡筒の全長を短縮して更なる小型化を実現する仕組みを提供することを目的とする。
【課題を解決するための手段】
【０００７】
上記目的を達成するために、本発明のレンズ鏡筒は、レンズを保持し、第１の被案内部、及び前記第１の被案内部より光軸方向の像面側に配置される第２の被案内部を有する保持枠と、前記保持枠を光軸方向に進退移動させる駆動部と、前記第１の被案内部を光軸方向に支持案内する第１の案内軸を保持し、光軸方向に進退移動が可能な直進筒と、前記第２の被案内部を光軸方向に支持案内する第２の案内軸を保持する保持筒と、前記保持筒に対して回転可能に設けられ、回転により前記直進筒を光軸方向に進退移動させるカム筒と、を備えることを特徴とする。
【発明の効果】
【０００８】
本発明によれば、撮影時にレンズの光軸方向の移動範囲や光学保持精度を確保しつつ、沈胴時のレンズ鏡筒の全長を短縮して更なる小型化を実現することができる。
【図面の簡単な説明】
【０００９】
【図１】（ａ）は本発明の実施形態の一例であるレンズ鏡筒の分解斜視図、（ｂ）は図１（ａ）の矢印Ａ方向から見た分解斜視図である。
【図２】（ａ）は図１に示すレンズ鏡筒の組立体の撮影位置での斜視図、（ｂ）は図１に示すレンズ鏡筒の組立体の沈胴位置での斜視図である。
【図３】（ａ）は図２（ａ）の光軸方向の正面側から見た図、（ｂ）は図２（ａ）の光軸方向の背面側から見た図である。
【図４】固定筒とカム筒との関係を示す部分拡大断面図である。
【図５】レンズ鏡筒の撮影可能状態１、撮影可能状態２及び収納状態を示す概略断面図である。
【図６】（ａ）はレンズ鏡筒が収納状態から撮影可能状態へ至る動作を示すフローチャート図、（ｂ）はレンズ鏡筒が撮影可能状態から収納状態に至る動作を示すフローチャート図である。
【図７】ガイドバー、保持枠、検出羽根、及びフォトインタラプタ以外を省略したレンズ鏡筒の側面図である。
【図８】（ａ）は本実施形態のレンズ鏡筒を光軸方向の被写体側から見た概略図、（ｂ）は（ａ）の右側面図である。
【図９】（ａ）は比較例１のレンズ鏡筒を光軸方向の被写体側から見た概略図、（ｂ）は（ａ）の右側面図である。
【図１０】（ａ）は比較例２のレンズ鏡筒を光軸方向の被写体側から見た概略図、図（ｂ）は（ａ）の右側面図である。
【発明を実施するための形態】
【００１０】
以下、図面を参照して、本発明の実施形態の一例を説明する。
【００１１】
図１（ａ）は本発明の実施形態の一例であるレンズ鏡筒の分解斜視図、図１（ｂ）は図１（ａ）の矢印Ａ方向から見た分解斜視図である。図２（ａ）は図１に示すレンズ鏡筒の組立体の撮影位置での斜視図、図２（ｂ）は図１に示すレンズ鏡筒の組立体の沈胴位置での斜視図である。図３（ａ）は図２（ａ）の光軸方向の正面側（被写体側：矢印Ｂ方向）から見た図、図３（ｂ）は図２（ａ）の光軸方向の背面側から見た図である。なお、本実施形態では、デジタルビデオカメラ等の撮像装置に搭載され、ズームレンズやフォーカスレンズを光軸方向へ移動させる機構を有するレンズ鏡筒を例に採る。
【００１２】
本実施形態のレンズ鏡筒は、図１に示すように、レンズ５０を保持する保持枠４０にガイド穴４１ａ，４１ｂが形成されている。ガイド穴４１ａ，４１ｂがそれぞれガイドバー６０ａ，６０ｂにより支持案内されることで、保持枠４０が光軸方向に進退移動することができる。
【００１３】
ガイド穴４１ａは、レンズ５０の径方向外側に配置され、主に光軸に対するレンズ５０の中心位置を決定する。ガイド穴４１ｂは、保持枠４０の外周部から光軸方向像面側に延びる腕部４０ａの先端に配置され、主に光軸に対するレンズ５０の倒れ位置を決定する。ここで、ガイド穴４１ａは、本発明の第１の被案内部の一例に相当し、ガイド穴４１ｂは、本発明の第２の被案内部に相当する。また、ガイドバー６０ａは、本発明の第１の案内軸の一例に相当し、ガイドバー６０ｂは、本発明の第２の案内軸の一例に相当する。
【００１４】
保持枠４０のガイド穴４１ａから周方向に離間した位置には、溝４１ｃが形成されている。溝４１ｃは、ガイドバー６０ｃに係合して、保持枠４０がガイド穴４１ａ，４１ｂとガイドバー６０ａ，６０ｂとの嵌合ガタ等によりレンズ５０が光軸中心から偏芯することを防止する。ガイドバー６０ａ，６０ｂ，６０ｃは、ステンレス等で円柱状に形成されている。
【００１５】
また、保持枠４０の外周部には、検出羽根４３が径方向外側に突出して設けられ、検出羽根４３がフォトインタラプタ１３の位置を通過すると、電気信号の出力が変化して保持枠４０の光軸方向の位置を検出することができる。
【００１６】
直進筒３０の内周部には、ガイドバー６０ａ，６０ｃのそれぞれの両端部を保持する保持部３３が設けられている。なお、本実施形態では、保持部３３を直進筒３０と一体に形成しているが、保持部３３を直進筒３０と別体に形成してもよい。
【００１７】
直進筒３０の像面側端部の外周部には、径方向外側に突出するカムフォロア３１が周方向に略等間隔で複数箇所設けられている。図１及び図２に示すように、直進筒３０の外周側には、カム筒２０が配置され、直進筒３０の内周側には、固定筒１０が配置される。
【００１８】
カム筒２０の内周部には、直進筒３０のカムフォロア３１が係合するカム溝２１が形成されている。カム筒２０が回転することによって、カム溝２１に沿ってカムフォロア３１が光軸方向に移動する。これにより、カム筒２０の回転に伴い、直進筒３０が光軸方向に進退移動することができる。なお、カム筒２０を回転駆動するモータとして、例えばステッピングモータを用いることで、命令値と回転位置との関係が一意に決まるため、モータへの命令値から直進筒３０の光軸方向の位置を特定することが可能となる。
【００１９】
また、カム筒２０の内周部には、テレンプ２２が周方向に沿って設けられている。カム筒２０が回転する際には、このテレンプ２２が直進筒３０の外周面にと接触する。したがって、直進筒３０の外周面とカム筒２０の内周面とは、カム筒２０の回転中に直接接触することがない。これにより、直進筒３０の外周面に摺れ傷等がつくのを防止することができる。
【００２０】
固定筒１０の外周部には、光軸方向に延びる直進溝１２が形成されている。直進溝１２には、直進筒３０の内周部に設けられた直進キー３２（図３（ｂ）参照）が係合する。これにより、直進筒３０は、カム筒２０に対して回転が規制された状態で光軸方向に進退移動する。固定筒１０は、本発明の保持筒の一例に相当する。また、固定筒１０には、ガイドバー６０ｂの両端部を保持する保持部１４が設けられている。ここで、直進筒３０に設けた保持部３３は、固定筒１０の外周部より内側に設けられている。このため、固定筒１０には、直進筒３０の保持部３３との干渉を回避するための切り欠き部１５が設けられている。
【００２１】
図４は、固定筒１０とカム筒２０との関係を示す部分拡大断面図である。図４に示すように、固定筒１０の像面側端部の外周部には、径方向外側に突出する抜け止め爪１１が設けられ、抜け止め爪１１は、カム筒２０の内周部に形成された周方向溝２３に対して径方向に嵌合している。これにより、カム筒２０は、固定筒１０により光軸方向の移動が規制された状態で、光軸周りに回転可能となっている。
【００２２】
図１乃至図３に戻って、固定筒１０には、モータ移動枠８０が光軸方向にのみ移動可能に取り付けられ、モータ移動枠８０には、本発明の駆動部の一例としてのモータユニット７０がビス等で一体に固定されている。モータユニット７０は、命令値に対する回転位置が一意に決まるステッピングモータ等で構成され、出力軸には、送りねじが設けられ、送りねじは、保持枠４０の腕部４０ａに設けたラック４２に係合する。これにより、モータユニット７０の駆動により、保持枠４０を光軸方向に進退移動させることができる。
【００２３】
モータ移動枠８０には、カムフォロア８１が設けられ、カムフォロア８１は、カム筒２０のカム溝２１の一部と係合する。これにより、カム筒２０の回転に伴って、モータ移動枠８０が光軸方向に進退移動可能となっている。
【００２４】
また、固定筒１０とモータ移動枠８０の間には、モータユニット７０を像面側に付勢する引張りばね８２が掛け渡されている。これにより、カムフォロア８１とカム溝２１とを片寄せし、モータユニット７０を駆動することにより発生する反力等でモータユニット７０が光軸方向へ移動することがないようにして、光学保持精度を確保している。なお、モータユニット７０は、直進筒３０の内周側に配置されている。これにより、直進筒３０の外周面にモータユニット７０の干渉回避用の切り欠き穴などを設ける必要がなく、また、光線漏れ等を防ぐことができる。
【００２５】
固定筒１０の背面側には、レンズ５０を通過した被写体光束が結像する撮像ユニット９０が設けられる。撮像ユニット９０には、結像した被写体像を光電変換する素子部の他、赤外光をカットする光学フィルタやごみ防止の保護ガラス等が含まれることもある。撮像ユニット９０からの画像データは、不図示の画像処理回路にて所定の処理がされた後、表示部や記録媒体に出力される。なお、撮像ユニット９０は、写真や映像のアスペクト比に合わせて長方形状となることが多い。
【００２６】
次に、図５を参照して、レンズ鏡筒の撮影可能状態１、撮影可能状態２及び収納状態について説明する。図５において、撮影可能状態１では、直進筒３０が被写体へ繰出している。また、保持枠４０は、最も被写体に近い側に位置している。撮影可能状態２では、直進筒３０は、撮影可能状態１と同様に、被写体へ繰出している。また保持枠４０は、撮影可能な範囲における最も被写体から遠い側に位置している。例えばレンズ５０が変倍レンズの場合、撮影可能状態１がワイド状態、撮影可能状態２がテレ状態になる。撮影可能状態１及び撮影可能状態２は、いずれも直進筒３０が被写体側へ突出し、これらの状態を撮影可能状態という。
【００２７】
一方、収納状態では、直進筒３０は、被写体から最も遠い側に繰込んだ状態である。保持枠４０は、撮影可能な範囲を超えて最も被写体から遠い側へ位置している。沈胴状態では、レンズ鏡筒の光軸方向の全長は、撮影可能状態と比較して短くなる。
【００２８】
ここで、ガイドバー６０ａ，６０ｂの光軸方向の案内範囲について説明する。撮影可能な状態において、保持枠４０は、撮影可能状態１と撮影可能状態２との間で進退移動することになる。このため、ガイド穴４１ａは、ガイドバー６０ａのＬａの範囲で光軸方向に案内される。一方、ガイド穴４１ｂは、ガイドバー６０ｂのＬｂ１の範囲で光軸方向に案内される。ガイド穴４１ａ，４１ｂは、いずれも保持枠４０に設けられ、相対位置は変化しないため、Ｌａ＝Ｌｂ１となる。
【００２９】
収納状態（沈胴状態）では、ガイド穴４１ｂは、ガイドバー６０ｂのＬｂ２の範囲に位置することになる。つまり、収納状態におけるガイドバー６０ｂでのガイド穴４１ｂの位置（Ｌｂ２）は、撮影可能状態においてガイド穴４１ｂが案内されるガイドバー６０ｂ上での光軸方向の範囲Ｌｂ１の外になる。また、ガイドバー６０ｂの案内範囲は、Ｌｂ１＋Ｌｂ２であるため、Ｌａ＜Ｌｂの関係になっている。つまり、ガイドバー６０ａよりガイドバー６０ｂの方が光軸方向の案内範囲が長くなっている。これにより、保持枠４０が沈胴可能な光軸方向の範囲を大きくし、レンズ鏡筒の小型化へつなげることが可能となる。
【００３０】
また、ガイドバー６０ｂについてみると、撮影可能状態では、Ｌｂ１の範囲を使用し、収納状態では、Ｌｂ２の範囲を使用することで、撮影可能状態と収納状態では、モータユニット７０の光軸方向の位置が異なる。撮影可能状態では、保持枠４０の光軸方向の移動範囲に合わせて、モータユニット７０の送りねじを配置する必要がある。送りねじの位置は、保持枠４０に設けたラック４２の位置によって変化するが、一般的にはガイド穴４１ａ，４１ｂの中間付近にラック４２を配置することが望ましい。
【００３１】
この場合、収納状態において、直進筒３０だけが光軸方向に進退移動することとすると、モータユニット７０が直進筒３０の被写体側の端面より突出してレンズ鏡筒の小型化の観点から好ましくない。そこで、本実施形態では、モータユニット７０が直進筒３０と連動して光軸方向に進退移動し、収納状態では、直進筒３０の被写体側の端面より突出しないようにしている。この結果、モータユニット７０の一部が固定筒１０から像面側に突出することとなるが、撮像ユニット９０等の構成部品と重ならないようにレイアウトを調整することで、レンズ鏡筒の光軸方向の小型化が実現可能である。
【００３２】
このように、本実施形態では、ガイド穴４１ａを直進筒３０に保持されたガイドバー６０ａにより光軸方向に案内し、ガイド穴４１ａより像面側に配置されたガイド穴４１ｂを固定筒１０に保持されたガイドバー６０ｂにより光軸方向に案内する。これにより、沈胴時のレンズ鏡筒の全長を短縮することが可能となる。
【００３３】
次に、図６及び図７を参照して、レンズ鏡筒の動作例を説明する。図６（ａ）は、レンズ鏡筒が収納状態から撮影可能状態へ至る動作を示すフローチャート図である。図７は、ガイドバー６０ａ，６０ｂ，６０ｃ、保持枠４０、検出羽根４３、及びフォトインタラプタ１３以外を省略したレンズ鏡筒の側面図である。
【００３４】
図７（ａ）は、レンズ鏡筒の沈胴状態であり、ガイドバー６０ａ，６０ｂ，６０ｃの光軸方向の被写体側の先端部が略一致するように配置されている。そして、図６（ａ）のステップＳ５１１でカム筒２０の回転が開始すると、ステップＳ５１２では、カム筒２０の回転に連動して、直進筒３０及びモータ移動枠８０が光軸方向の被写体側への繰出し動作を開始する。直進筒３０が繰出し動作を開始して、最大繰出し位置の１／２程度まで繰出した状態（図７（ｂ））でステップＳ５１３へ進む。
【００３５】
ステップＳ５１３では、保持枠４０が光軸方向の被写体側への繰出し動作を開始し、図７（ｃ）の状態まで繰出す。保持枠４０の繰出し動作の途中で検出羽根４３がフォトインタラプタ１３を通過することで、保持枠４０の位置を検出することができる。保持枠４０は、ガイド穴４１ｂがガイドバー６０ｂの案内範囲Ｌｂ２を過ぎてＬｂ１に到達するまで移動する。
【００３６】
なお、ステップＳ５１２の段階では、保持枠４０の繰出し動作と同時に、直進筒３０の繰出し動作を行ってもよい。また、省電力化等の目的で、保持枠４０が繰り出す前に直進筒３０の繰出し動作を一旦止めて、保持枠４０の繰出し動作が完了した後に、直進筒３０の繰出し動作を再開してもよい。
【００３７】
ステップＳ５１４では、直進筒３０が撮影可能状態の位置まで繰出して、図７（ｄ）の状態になり、直進筒３０の繰出し動作が完了する。ステップＳ５１５では、カム筒２０の回転が停止し、撮影可能状態に至る。以上がレンズ鏡筒が収納状態から撮影可能状態に至るシーケンスである。撮影時は、直進筒３０は光軸方向に進退移動せずに、保持枠４０のみが光軸方向に進退移動して、被写体光束の撮像ユニット９０への結像状態を変化させることができる。
【００３８】
図６（ｂ）は、レンズ鏡筒が撮影可能状態から収納状態に至る動作を示すフローチャート図である。図７（ｄ）に示すように、レンズ鏡筒の撮影可能状態では、ガイドバー６０ａ，６０ｃがガイドバー６０ｂに対して光軸方向に移動した状態で配置されている。ステップＳ５２１では、カム筒２０が図６（ａ）のステップＳ５１１と反対の方向に回転し、ステップＳ５２２では、カム筒２０の回転に連動して、直進筒３０が繰込み動作を開始する。
【００３９】
直進筒３０が最大繰出し位置の１／２程度まで繰込んだ図７（ｃ）の状態に至ると、ステップＳ５２３へ進み、保持枠４０が繰込み動作を開始する。保持枠４０は、ガイド穴４１ｂがガイドバー６０ｂの案内範囲Ｌｂ１から案内範囲Ｌｂ２に移動し、収納時の所定位置まで移動して停止し、図７（ｂ）の状態に至る。
【００４０】
次に、ステップＳ５２４では、直進筒３０がさらに繰込み、図７（ａ）に示すように、ガイドバー６０ａ，６０ｂ，６０ｃの光軸方向の被写体側の先端部が略一致して収納状態に至る。以上がレンズ鏡筒の撮影可能状態から収納状態に至るシーケンスである。図６のシーケンス中では、モータユニット７０は、直進筒３０と連動して光軸方向に進退移動することになる。モータユニット７０が光軸方向に進退移動するタイミングは、モータ移動枠８０のカムフォロア８１が係合するカム筒２０のカム溝２１の軌跡により調整することができる。
【００４１】
保持枠４０は、ガイドバー６０ａによりガイド穴４１ａが案内され、ガイドバー６０ｂによりガイド穴４１ａから像面側に離間配置されたガイド穴４１ｂが案内される。撮影可能状態では、保持枠４０が光軸方向に所定の距離を移動できるように、ガイド穴４１ａ，４１ｂ間の光軸方向の距離に応じて、ガイドバー６０ａ，６０ｂ間の光軸方向の距離を設定する必要がある。一方、収納状態では、保持枠４０は、移動する必要がないため、ガイドバー６０ａ，６０ｂの光軸方向の被写体側の先端部が略一致するように配置することで、レンズ鏡筒の光軸方向の小型化が可能である。
【００４２】
ガイド穴４１ａ，４１ｂ間の光軸方向の距離を大きくすると、ガイドバー６０ａ，６０ｂによるガイド時のガタによりレンズ５０が光軸方向に対して傾く量を低減することができ、レンズ鏡筒としての光学保持精度が向上する。一方、ガイド穴４１ａ，４１ｂ間の光軸方向の距離を大きくすると、レンズ鏡筒の収納時に固定筒１０の光軸方向の長さの範囲に保持枠４０等が収まりにくくなる。
【００４３】
そこで、本実施形態では、前述したように、ガイドバー６０ａよりガイドバー６０ｂの光軸方向の長さを長く設定し、その長く設定した範囲（Ｌｂ２）をレンズ鏡筒の収納時に使用することで、保持枠４０の一部を固定筒１０から像面側に突出させる。これにより、レンズ鏡筒の被写体側の端面に保持枠４０が突出しないようにして小型化を実現し、かつ光学保持精度を確保する。保持枠４０の像面側の突出した部分は、モータユニット７０の場合と同様に、撮像ユニット９０等の構成部品と重ならないようにレイアウトすることで、被写体側への突出量を最小限とすることが可能である。
【００４４】
次に、図８乃至図１０を参照して、本実施形態のレンズ鏡筒、比較例１のレンズ鏡筒及び比較例２のレンズ鏡筒について説明する。
【００４５】
図８（ａ）は本実施形態のレンズ鏡筒を光軸方向の被写体側から見た概略図、図８（ｂ）は図８（ａ）の右側面図である。図９（ａ）は比較例１のレンズ鏡筒を光軸方向の被写体側から見た概略図、図９（ｂ）は図９（ａ）の右側面図である。図１０（ａ）は比較例２のレンズ鏡筒を光軸方向の被写体側から見た概略図、図１０（ｂ）は図１０（ａ）の右側面図である。なお、図９及び図１０では、説明の便宜上、図８に示す本実施形態のレンズ鏡筒に対応する部材に同一符号を付して説明する。
【００４６】
図８に示す本実施形態のレンズ鏡筒では、直進筒３０の内周部からガイドバー６０ａを保持する保持部３３が径方向内側に向けて延びている。そのため、前述したように、固定筒１０には、直進筒３０との干渉を回避するための切り欠き部１５が設置されている。つまり、本実施形態のレンズ鏡筒では、固定筒１０は、直進筒３０の内周側に配置され、カム筒２０は、直進筒３０の外周側に配置される。
【００４７】
図９（ａ）に示す比較例１のレンズ鏡筒では、固定筒１０は、直進筒３０の外周側に配置されている。固定筒１０の内周部からはガイドバー６０ａを保持する保持部３３が径方向内側に向けて延びている。そのため、直進筒３０には、固定筒１０との干渉を回避するための、切り欠き部３５を設ける必要がある。切り欠き部３５は、直進筒３０が光軸方向に移動することから、図９（ｂ）に示すように、直進筒３０の光軸方向に沿って略全長に形成される。この場合は、切り欠き部３５から光線が漏れる懸念や切り欠き部３５により外観上の品位を損なうおそれもある。
【００４８】
図１０（ａ）に示す比較例２のレンズ鏡筒では、直進筒３０の内周側にカム筒２０が配置されている。直進筒３０の内周部からはガイドバー６０ａを保持する保持部３３が径方向内側に向けて延びている。直進筒３０は、回転しないため、保持部３３も同様に回転しないが、カム筒２０は、回転をするため、カム筒２０には、図１０（ｂ）に示すように、直進筒３０の保持部３３との干渉を回避するための切り欠き部２５を回転方向の略全範囲に形成する必要がある。このため、カム筒２０に形成するカム溝のレイアウトの制限が厳しくなる。
【００４９】
これに対し、図８に示す本実施形態のレンズ鏡筒では、前述したように、固定筒１０は、直進筒３０の内周側に配置され、カム筒２０は、直進筒３０の外周側に配置される。これにより、光線漏れ等を防ぐことや、外観上の品位を保つことができ、更には、カム筒２０に形成するカム溝のレイアウトの自由度を増すことができる。
【００５０】
以上説明したように、本実施形態では、レンズ５０を保持する保持枠４０のガイド穴４１ａを直進筒３０に保持されたガイドバー６０ａにより光軸方向に案内する。また、保持枠４０のガイド穴４１ａより像面側に配置されたガイド穴４１ｂを固定筒１０に保持されたガイドバー６０ｂにより光軸方向に案内する。これにより、撮影時にレンズ５０の光軸方向の移動範囲や光学保持精度を確保しつつ、沈胴時のレンズ鏡筒の全長を短縮して更なる小型化を実現することができる。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５２】
１０  固定筒
２０  カム筒
３０  直進筒
４０  保持枠
４１ａ  ガイド穴
４１ｂ  ガイド穴
５０  レンズ
６０ａ  ガイドバー
６０ｂ  ガイドバー
７０    モータユニット
【図１】
2015203732.tif 000003
【図２】
2015203732.tif 000004
【図３】
2015203732.tif 000005
【図４】
2015203732.tif 000006
【図５】
2015203732.tif 000007
【図６】
2015203732.tif 000008
【図７】
2015203732.tif 000009
【図８】
2015203732.tif 000010
【図９】
2015203732.tif 000011
【図１０】
2015203732.tif 000012